【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
受信装置であって、
前記受信装置と無線による通信の接続を確立している送信装置から画像データを受信する受信部と、
前記送信装置とは異なる送信装置が前記無線による通信の接続を前記受信装置と確立するために必要な設定データと前記画像データとを表示する表示部と、
前記設定データを含むフレームの前後に表示するフレームでは、当該設定データを表示する前記表示部の表示領域と同じ表示領域に前記画像データを表示するように前記表示部の表示を制御するとともに、前記表示部に前記設定データを含むフレームを表示させる場合、前記設定データが直前に表示された前記表示部の表示領域とは異なる前記表示領域に前記設定データを表示させるように前記表示部の表示を制御する表示制御部と、
を備えることを特徴とする受信装置。
【請求項２】
前記表示制御部は、前記表示部に前記設定データを含むフレームを複数表示させる場合、所定の前記フレームには前記設定データを含ませないように前記表示部の表示を制御する
ことを特徴とする請求項１に記載の受信装置。
【請求項３】
前記表示制御部は、前記画像データを表示させる前記表示部の表示領域のうち、一部の前記表示領域上に前記設定データを重畳して表示させるように前記表示部の表示を制御する
ことを特徴とする請求項１に記載の受信装置。
【請求項４】
前記表示制御部は、前記表示部に前記設定データを含むフレームを表示させる場合、前記設定データの一部のみを表示させ、当該フレームとは異なる前記フレームに当該設定データの残りの全部または一部を表示させるように前記表示部の表示を制御する
ことを特徴とする請求項１に記載の受信装置。
【請求項５】
請求項１に記載の受信装置が備える前記表示部を撮像する撮像部と、
前記撮像部が撮像したデータから、前記受信装置と無線による通信の接続を確立するために必要な前記設定データを特定する特定部と、
前記特定した設定データに基づいて前記受信装置と無線による通信の接続を確立する通信部と、
を備えることを特徴とする送信装置。
【請求項６】
前記特定部は、前記撮像部が複数回撮像した複数の前記撮像データに基づいて前記設定データを特定する
ことを特徴とする請求項５に記載の送信装置。
【請求項７】
前記特定部は、複数の前記撮像データそれぞれに含まれる前記設定データの一部から前記設定データを生成して特定する
ことを特徴とする請求項５に記載の送信装置。
【請求項８】
前記表示制御部は、前記表示部に前記設定データを含む前記フレームを表示させる場合、直前に表示された前記フレームにおける前記画像データの色配置に基づいて当該設定データの表示領域中の背景色を設定する
ことを特徴とする請求項１に記載の受信装置。
【請求項９】
前記表示制御部は、前記表示部に前記設定データを含む前記フレームを表示させる場合、前記設定データを重畳する前記画像データの色配置に基づいて前記設定データの表示領域の位置、または、大きさを設定する
ことを特徴とする請求項３に記載の受信装置。
【請求項１０】
前記表示制御部は、前記表示部に前記設定データを含む前記フレームを表示させる場合、前記設定データを重畳する前記画像データの周波数成分の情報に基づいて前記設定データの表示領域の位置、または、大きさを設定する
ことを特徴とする請求項３に記載の受信装置。
【請求項１１】
受信装置であって、
前記受信装置と無線による通信の接続を確立している送信装置から画像データを受信する受信部と、
前記送信装置とは異なる送信装置が前記無線による通信の接続を前記受信装置と確立するために必要な設定データと前記画像データとを表示する表示部と、
前記設定データを含むフレームの前後に表示するフレームでは、当該設定データを表示する前記表示部の表示領域と同じ表示領域に前記画像データを表示するように前記表示部の表示を制御するとともに、前記表示部に前記設定データを含むフレームを表示させる場合、前記設定データが直前に表示された前記表示部の表示領域とは異なる前記表示領域に前記設定データを表示させるように前記表示部の表示を制御する表示制御部と、
を備える受信装置と、
前記受信装置が備える前記表示部を撮像する撮像部と、
前記撮像部が撮像したデータから、前記受信装置と無線による通信の接続を確立するために必要な前記設定データを特定する特定部と、
前記特定した設定データに基づいて前記受信装置と無線による通信の接続を確立する通信部と、
を備える送信装置と、
を含むことを特徴とする送受信システム。
【請求項１２】
受信装置と無線による通信の接続を確立している送信装置から画像データを受信する受信ステップと、
前記送信装置とは異なる送信装置が前記無線による通信の接続を前記受信装置と確立するために必要な設定データと前記画像データとを表示部に表示する表示ステップと、
前記設定データを含むフレームの前後に表示するフレームでは、当該設定データを表示する前記表示部の表示領域と同じ表示領域に前記画像データを表示するように前記表示部の表示を制御するとともに、前記表示部に前記設定データを含むフレームを表示させる場合、前記設定データが直前に表示された前記表示部の表示領域とは異なる前記表示領域に前記設定データを表示させるように前記表示部の表示を制御する表示制御ステップと、
を含むことを特徴とする受信方法。
【請求項１３】
請求項１に記載の受信装置が備える前記表示部を撮像する撮像ステップと、
前記撮像ステップで撮像したデータから、前記受信装置と無線による通信の接続を確立するために必要な前記設定データを特定する特定ステップと、
前記特定した設定データに基づいて前記受信装置と無線による通信の接続を確立する通信ステップと、
を含むことを特徴とする送信方法。
【請求項１４】
受信装置と無線による通信の接続を確立している送信装置から画像データを受信する受信ステップと、
前記送信装置とは異なる送信装置が前記無線による通信の接続を前記受信装置と確立するために必要な設定データと前記画像データとを表示部に表示する表示ステップと、
前記設定データを含むフレームの前後に表示するフレームでは、当該設定データを表示する前記表示部の表示領域と同じ表示領域に前記画像データを表示するように前記表示部の表示を制御するとともに、前記表示部に前記設定データを含むフレームを表示させる場合、前記設定データが直前に表示された前記表示部の表示領域とは異なる前記表示領域に前記設定データを表示させるように前記表示部の表示を制御する表示制御ステップと、
をコンピュータに実行させるためのプログラム。
【請求項１５】
請求項１に記載の受信装置が備える前記表示部を撮像する撮像ステップと、
前記撮像ステップで撮像したデータから、前記受信装置と無線による通信の接続を確立するために必要な前記設定データを特定する特定ステップと、
前記特定した設定データに基づいて前記受信装置と無線による通信の接続を確立する通信ステップと、
をコンピュータに実行させるためのプログラム。
【手続補正２】
【補正対象書類名】明細書
【補正対象項目名】発明の名称
【補正方法】変更
【補正の内容】
【発明の名称】受信装置、送信装置、送受信システム、受信方法、送信方法およびプログラム
【手続補正３】
【補正対象書類名】明細書
【補正対象項目名】０００１
【補正方法】変更
【補正の内容】
【０００１】
本発明は、受信装置、送信装置、送受信システム、受信方法、送信方法およびプログラムに関する。
【手続補正４】
【補正対象書類名】明細書
【補正対象項目名】０００８
【補正方法】変更
【補正の内容】
【０００８】
本発明は、上記の問題を解決するためになされたものであり、表示部の表示領域を減らすことなく、簡単に無線接続の切り替えを行うことができる受信装置、送信装置、送受信システム、受信方法、送信方法およびプログラムを提供することを目的とする。
【手続補正５】
【補正対象書類名】明細書
【補正対象項目名】０００９
【補正方法】変更
【補正の内容】
【０００９】
本発明は、受信装置の発明であって、無線による通信の接続を確立している送信装置から画像データを受信する受信部と、前記送信装置とは異なる送信装置が前記無線による通信の接続を前記受信装置と確立するために必要な設定データと前記画像データとを表示する表示部と、前記設定データを含むフレームの前後に表示するフレームでは、当該設定データを表示する前記表示部の表示領域と同じ表示領域に前記画像データを表示するように前記表示部の表示を制御するとともに、前記表示部に前記設定データを含むフレームを表示させる場合、前記設定データが直前に表示された前記表示部の表示領域とは異なる前記表示領域に前記設定データを表示させるように前記表示部の表示を制御する表示制御部と、を備えることを特徴とする受信装置である。
【手続補正６】
【補正対象書類名】明細書
【補正対象項目名】００１０
【補正方法】変更
【補正の内容】
【００１０】
また、本発明の受信装置において、前記表示制御部は、前記表示部に前記設定データを含むフレームを複数表示させる場合、所定の前記フレームには前記設定データを含ませないように前記表示部の表示を制御することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１９
【補正方法】変更
【補正の内容】
【００１９】
また、本発明の受信装置において、前記表示制御部は、前記表示部に前記設定データを含む前記フレームを表示させる場合、前記設定データを重畳する前記画像データの周波数成分の情報に基づいて前記設定データの表示領域の位置、または、大きさを設定することを特徴とする。
また、本発明は、受信装置であって、前記受信装置と無線による通信の接続を確立している送信装置から画像データを受信する受信部と、前記送信装置とは異なる送信装置が前記無線による通信の接続を前記受信装置と確立するために必要な設定データと前記画像データとを表示する表示部と、前記設定データを含むフレームの前後に表示するフレームでは、当該設定データを表示する前記表示部の表示領域と同じ表示領域に前記画像データを表示するように前記表示部の表示を制御するとともに、前記表示部に前記設定データを含むフレームを表示させる場合、前記設定データが直前に表示された前記表示部の表示領域とは異なる前記表示領域に前記設定データを表示させるように前記表示部の表示を制御する表示制御部と、を備える受信装置と、前記受信装置が備える前記表示部を撮像する撮像部と、前記撮像部が撮像したデータから、前記受信装置と無線による通信の接続を確立するために必要な前記設定データを特定する特定部と、前記特定した設定データに基づいて前記受信装置と無線による通信の接続を確立する通信部と、を備える送信装置と、を含むことを特徴とする送受信システムである。
また、本発明は、受信装置と無線による通信の接続を確立している送信装置から画像データを受信する受信ステップと、前記送信装置とは異なる送信装置が前記無線による通信の接続を前記受信装置と確立するために必要な設定データと前記画像データとを表示部に表示する表示ステップと、前記設定データを含むフレームの前後に表示するフレームでは、当該設定データを表示する前記表示部の表示領域と同じ表示領域に前記画像データを表示するように前記表示部の表示を制御するとともに、前記表示部に前記設定データを含むフレームを表示させる場合、前記設定データが直前に表示された前記表示部の表示領域とは異なる前記表示領域に前記設定データを表示させるように前記表示部の表示を制御する表示制御ステップと、を含むことを特徴とする受信方法である。
また、本発明は、受信装置が備える前記表示部を撮像する撮像ステップと、前記撮像ステップで撮像したデータから、前記受信装置と無線による通信の接続を確立するために必要な前記設定データを特定する特定ステップと、前記特定した設定データに基づいて前記受信装置と無線による通信の接続を確立する通信ステップと、を含むことを特徴とする送信方法である。
また、本発明は、受信装置と無線による通信の接続を確立している送信装置から画像データを受信する受信ステップと、前記送信装置とは異なる送信装置が前記無線による通信の接続を前記受信装置と確立するために必要な設定データと前記画像データとを表示部に表示する表示ステップと、前記設定データを含むフレームの前後に表示するフレームでは、当該設定データを表示する前記表示部の表示領域と同じ表示領域に前記画像データを表示するように前記表示部の表示を制御するとともに、前記表示部に前記設定データを含むフレームを表示させる場合、前記設定データが直前に表示された前記表示部の表示領域とは異なる前記表示領域に前記設定データを表示させるように前記表示部の表示を制御する表示制御ステップと、をコンピュータに実行させるためのプログラムである。
また、本発明は、受信装置が備える前記表示部を撮像する撮像ステップと、前記撮像ステップで撮像したデータから、前記受信装置と無線による通信の接続を確立するために必要な前記設定データを特定する特定ステップと、前記特定した設定データに基づいて前記受信装置と無線による通信の接続を確立する通信ステップと、をコンピュータに実行させるためのプログラムである。